(57)【要約】      （修正有）【課題】低背化が容易に図れる上に、高周波信号の伝送特性が優れたコネクタを提供すること。【解決手段】コネクタ１０のハウジング１１は、前面が開放された受容部１１ａと、底面１４と、受容部と前記底面との間に形成された被保持部２３とを有する。コネクタ１０のコンタクト１３は、保持部２４と、保持部の第１の端面に結合されたバネ部２５と、保持部の第１の端面とは反対側の第２の端面に結合された端子部２６とを有する。保持部２４は第１の端面と第２の端面との間に凹部２４ｃを有し、凹部を被保持部に受容部側から嵌合することで、保持部が被保持部に保持されている。バネ部２５は、第１の端面から延びて接触部２８を受容部に位置させている。端子部２６は、第２の端面のうち凹部の開放面側の部分から受容部の前方に延びている。【選択図】図５
2014130741.tif 000002
【特許請求の範囲】
【請求項１】
コンタクトとハウジングとを有するコネクタにおいて、
前記ハウジングは、前面が開放された受容部と、底面と、前記受容部と前記底面との間に形成された被保持部とを有し、
前記コンタクトは、保持部と、前記保持部の第１の端面に結合されたバネ部と、前記保持部の前記第１の端面とは反対側の第２の端面に結合された端子部とを有し、
前記保持部は、前記第１の端面と前記第２の端面との間に凹部を有し、前記凹部を前記被保持部に前記受容部側から嵌合することで、前記保持部が前記被保持部に保持され、
前記バネ部は、接触部を備え、前記第１の端面から延びて前記接触部を前記受容部に位置させており、
前記端子部は、前記第２の端面のうち前記凹部の開放面側の部分から前記受容部の前方に延びていることを特徴とするコネクタ。
【請求項２】
前記バネ部は、前記第１の端面のうち前記凹部の底面側の部分から延びていることを特徴とする、請求項１記載のコネクタ。
【請求項３】
前記バネ部は、前記第１の端面のうち前記開放面側の部分から延びていることを特徴とする、請求項１記載のコネクタ。
【請求項４】
前記保持部は、前記凹部の互いに対向した内壁面のうち少なくとも一方に内向きの凸部を有し、前記凸部が前記被保持部に引っ掛かることで前記保持部の前記被保持部からの離脱を防止される、請求項１から３のいずれか一項に記載のコネクタ。
【請求項５】
前記凸部は、前記凹部の開放面に隣接した位置に形成されている、請求項４に記載のコネクタ。
【請求項６】
前記被保持部は、前記凸部に対応する位置にへこみを有する、請求項４又は５に記載のコネクタ。
【請求項７】
前記底面から見て前記コンタクトよりも遠い位置に配置された接触部を有する上段コンタクトを更に含み、前記上段コンタクトは前記ハウジングの後側から前側に向けて前記ハウジングに挿入され保持されることを特徴とする、請求項１から６のうちのいずれか一項に記載のコネクタ。
【請求項８】
前記コンタクトは、一枚の導電性金属板を打ち抜き加工して形成されたものであることを特徴とする、請求項１から７のうちのいずれか一項に記載のコネクタ。
【発明の詳細な説明】
【技術分野】
【０００１】
本発明は、回路基板などに搭載可能なコネクタに関する。
【背景技術】
【０００２】
この種のコネクタは、絶縁性のハウジングに設けた装着空間に導電性のコンタクトを装着し、コンタクトをハウジングに保持させている（特許文献１参照）。しかし、そのようなコネクタでは、コンタクトをハウジングに保持するための保持構造がコネクタの高さ方向においてハウジングの壁部と重なって形成されるため、コネクタ高さが大きくならざるを得ない。さらに、強度を保つためにハウジングの壁部の厚みを大きくすることが必要なこともコネクタの大型化につながっていた。
【０００３】
また特許文献２には、上述したような保持構造をハウジングの壁部内に設けた電気コネクタが開示されている。図１２を用いて、特許文献２に開示された技術について簡単に説明する。
【０００４】
図１２の電気コネクタは、コンタクトに相当する端子１と、この端子１を保持したハウジング２とを含んでいる。端子１は、基部３と、基部３から一側に延びた２つのビーム４，５と、基部２から反対側に延びた延伸部６と、延伸部６から側方に平行に突出した二つの圧入部７と、延伸部６の延伸端に形成された接続部８とを有している。ハウジング２の壁部２ａには、端子１の圧入部７を受ける二つの孔９が形成されている。
【０００５】
圧入部７を孔９に圧入することで、端子１はハウジング２に保持される。即ち、圧入部７と孔９とが合わせて保持構造を形成している。この保持構造はハウジング２の壁部２ａ内に設けられるので、コネクタ高さを制限してコネクタの低背化を図ることが可能である。
【先行技術文献】
【特許文献】
【０００６】
【特許文献１】特開平０８−１８５９３７号公報
【特許文献２】特開２０１０−３５９０号公報
【発明の概要】
【発明が解決しようとする課題】
【０００７】
しかしながら、特許文献２の電気コネクタでは、端子の延伸部から二つの圧入部が側方に突出部として突出し、この突出部がスタブとなることによって伝送路に複数の枝路が形成された状態になり、したがって高周波信号のロスが大きくなり伝送特性の悪化が懸念される。突出部の数が増えると、伝送特性がさらに悪化する恐れが生じる。
【０００８】
それ故に本発明の目的は、上述の問題の解消が可能なコネクタを提供することにある。
【課題を解決するための手段】
【０００９】
本発明の一態様によれば、コンタクトとハウジングとを有するコネクタにおいて、前記ハウジングは、前面が開放された受容部と、底面と、前記受容部と前記底面との間に形成された被保持部とを有し、前記コンタクトは、保持部と、前記保持部の第１の端面に結合されたバネ部と、前記保持部の前記第１の端面とは反対側の第２の端面に結合された端子部とを有し、前記保持部は、前記第１の端面と前記第２の端面との間に凹部を有し、前記凹部を前記被保持部に前記受容部側から嵌合することで、前記保持部が前記被保持部に保持され、前記バネ部は、接触部を備え、前記第１の端面から延びて前記接触部を前記受容部に位置させており、前記端子部は、前記第２の端面のうち前記凹部の開放面側の部分から前記受容部の前方に延びていることを特徴とするコネクタが得られる。
【００１０】
前記バネ部は、前記第１の端面のうち前記凹部の底面側の部分から延びていてもよい。
【００１１】
前記バネ部は、前記第１の端面のうち前記開放面側の部分から延びていてもよい。
【００１２】
前記保持部は、前記凹部の互いに対向した内壁面のうち少なくとも一方に内向きの凸部を有し、前記凸部が前記被保持部に引っ掛かることで前記保持部の前記被保持部からの離脱を防止されてもよい。
【００１３】
前記凸部は、前記凹部の開放面に隣接した位置に形成されてもよい。
【００１４】
前記被保持部は、前記凸部に対応する位置にへこみを有してもよい。
【００１５】
前記底面から見て前記コンタクトよりも遠い位置に配置された接触部を有する上段コンタクトを更に含み、前記上段コンタクトは前記ハウジングの後側から前側に向けて前記ハウジングに挿入され保持されてもよい。
【００１６】
前記コンタクトは、一枚の導電性金属板を打ち抜き加工して形成されたものでもよい。
【発明の効果】
【００１７】
本発明の一態様によるコネクタは、低背化が容易に図れる上に、高周波信号の伝送特性が優れたものとなる。
【図面の簡単な説明】
【００１８】
【図１】本発明の一実施形態に係るコネクタの斜視図。
【図２Ａ】図１のコネクタの正面図。
【図２Ｂ】図１のコネクタの上面図。
【図２Ｃ】図１のコネクタの側面図。
【図３】図１のコネクタのハウジングの側面断面図。
【図４Ａ】図１のコネクタの下段コンタクトの斜視図。
【図４Ｂ】図４Ａの下段コンタクトの側面図。
【図５】図３のハウジングに上段コンタクト及び図４の下段コンタクトを組み付けた状態の断面図。
【図６】図１のコネクタをコネクタ取付基板に取り付けた状態の側面断面図。
【図７】図６の状態にあるコネクタにカード基板を接続した状態の断面図。
【図８Ａ】図１のコネクタに含まれたハウジングの変形例を示す側面断面図。
【図８Ｂ】図８Ａの要部のみの拡大図。
【図９Ａ】図８Ａのハウジングに上段コンタクト及び図４の下段コンタクトを組み付けた状態の断面図。
【図９Ｂ】図９Ａの要部のみの拡大図。
【図１０】図１のコネクタに含まれた図４の下段コンタクトの変形例を示す側面図。
【図１１】図３のハウジングに上段コンタクト及び図１０の下段コンタクトを組み付けた状態の断面図。
【図１２】特許文献２（特開２０１０−３５９０号公報）に開示されている電気コネクタの断面図。
【発明を実施するための形態】
【００１９】
図１から図７を参照して、本発明の一実施形態に係るコネクタについて説明する。
【００２０】
図１から図２Ｃに示すコネクタ１０は、後で説明するようにコネクタ取付基板としての回路基板などの第１の接続対象に搭載されて用いられる電気コネクタであり、絶縁性のハウジング１１と、ハウジング１１に組みつけられた複数本の上段コンタクト１２及び複数本の下段コンタクト１３とを含んでいる。上段コンタクト１２及び下段コンタクト１３の各々は、一枚の導電性金属板を打ち抜き加工して形成されたものである。
【００２１】
ハウジング１１は、コネクタ１０の搭載時に第１の接続対象に面する底面１４と、後で説明するようにカード基板などの第２の接続対象を前側から受け入れるための前面１５が開放された空所からなる受容部１１ａと、底面１４と受容部１１ａとの間に形成された下壁部１６とを有している。
【００２２】
複数本の上段コンタクト１２は幅方向Ａ１に並んで配置されている。各上段コンタクト１２は、受容部１１ａの上部に位置する接触部１７と、ハウジング１１の後面１８から後方に突出した端子部１９とをそれぞれ有している。各上段コンタクト１２の端子部１９は、ハウジング１１の底面１４よりも下方に少し突出している。上段コンタクト１２はハウジング１１の後側から前側に向けてハウジング１１に挿入され保持される。
【００２３】
複数本の下段コンタクト１３は、ハウジング１１の下壁部１６の前部に幅方向Ａ１に並んで配置されている。また、図２Ａから分かるように、下段コンタクト１３は、上段コンタクト１２の接触部１７の相互間に位置するように上下方向Ａ２で上段コンタクト１２と対向するように配置されている。
【００２４】
図３に明瞭に示すように、ハウジング１１の下壁部１６には、下段コンタクト１３に一対一で対応して、前面１５の溝２１と前面１５から少し離れた位置の孔２２とが設けられている。下壁部１６の溝２１と孔２２との間の部分を被保持部２３と呼ぶ。後で説明するように、被保持部２３を利用して下段コンタクト１３がハウジング１１に組み付けられる。
【００２５】
図４Ａ及び図４Ｂに明瞭に示すように、各下段コンタクト１３は、保持部２４と、保持部２４の第１の端面２４ａに結合された弾力性をもつバネ部２５と、保持部２４の第１の端面２４ａとは反対側の第２の端面２４ｂに結合された端子部２６とを有している。
【００２６】
保持部２４は、第１の端面２４ａと第２の端面２４ｂとの間に凹部２４ｃを有している。ここでは凹部２４ｃが比較的大きく形成されているため、保持部２４は、バネ部２５と端子部２６との間に開放部を形成するコ字状（又は、Ｕ字形状）をなしているとも看做せる。
【００２７】
さらに、保持部２４は、凹部２４ｃが開放している第３の端面２４ｄと、第３の端面２４ｄとは反対側の第４の端面２４ｅとを有している。凹部２４ｃの互いに対向した内壁面のうち第３の端面２４ｄに隣接した位置には内向きの小さな凸部２７が対をなして形成されている。
【００２８】
バネ部２５は、第１の端面２４ａのうち第４の端面２４ｅに隣接した部分から少し傾斜して延びている。バネ部２５の延在端近傍には、第２の接続対象に接触するための接触部２８が形成されている。
【００２９】
なお、バネ部２５は、第１の端面２４ａのうち第３の端面２４ｄに隣接した部分から傾斜して延びるように形成しても良い。
【００３０】
下段コンタクト１３をハウジング１１に組み付けるには、保持部２４の凹部２４ｃを受容部１１ａ側即ち上方から被保持部２３に嵌合させ、これにより保持部２４に被保持部２３を挟むように保持させる。このとき、凸部２７が被保持部２３に上下方向Ａ２で引っ掛かる。したがって、保持部２４の被保持部２３からの離脱は確実に防止される。
【００３１】
図５に示すように下段コンタクト１３がハウジング１１に組み付けられると、バネ部２５は接触部２８を受容部１１ａの下部に位置させることとなる。また各下段コンタクト１３の端子部２６は、ハウジング１１の前面１５から前方に突出し、かつ、ハウジング１１の底面１４よりも下方に、各上段コンタクト１２の端子部１９と同様な程度だけ少し突出する。なお、図５から明らかなように、上段コンタクト１２の接触部１７は、上下方向Ａ２でハウジング１１の底面１４から見て、下段コンタクト１３よりも遠い位置に配置されている。
【００３２】
上述したコネクタ１０は、図６に示すように第１の接続対象としてのコネクタ取付基板３１に搭載されて用いられる。即ち、上段コンタクト１２の端子部１９及び下段コンタクト１３の端子部２６がコネクタ取付基板３１に半田付けなどにより電気的及び機械的に接続される。
【００３３】
この状態で、図７に示すように第２の接続対象としてのカード基板３２を前方から受容部１１ａに挿入する。すると、カード基板３２は、上段コンタクト１２の接触部１７と下段コンタクト１３の接触部２８との間にスライドを伴って挿入され、コネクタ１０に接続される。あるいは、カード基板３２を前方の斜め上方から受容部１１ａに挿入した後、カード基板３２を水平になるように回転させてコネクタ１０に装着する。その結果、カード基板３２によって、接触部１７は上方に及び接触部２８は下方にそれぞれ押し動かされる。このときの下段コンタクト１３の接触部２８の動きを下壁部１６が妨げることのないように、下壁部１６には逃げ孔３３が設けられている。
【００３４】
このコネクタ１０によると、ハウジング１１の下壁部１６の一部に下段コンタクト１３を保持した保持構造を備えているので低背化を容易に図ることができ、その上、下段コンタクト１３の接触部２８と端子部２６との間の伝送路に枝路となる突出部、即ち、この突出部が高周波信号において問題視されるようなスタブ（開放端、即ち伝送経路や電流の流れ等の行き止まりとなる部分）となり、この突出部が少ないため、高周波信号のロスが少なくて済み、高周波信号の伝送特性が優れたものとなる。
【００３５】
図８Ａから図９Ｂを参照して、コネクタ１０の変形例について説明する。同様な部分については同じ参照符号を付して説明を省略する。
【００３６】
図８Ａ及び図８Ｂに示すように、ハウジング１１の被保持部２３´に、下段コンタクト１３の保持部２４の凸部２７に対応する位置にへこみ３４を設ける。
【００３７】
これによると、図９Ａ及び図９Ｂに示すように下段コンタクト１３をハウジング１１に組み付け、保持部２４に被保持部２３´を保持させたとき、凸部２７がへこみ３４に対向し、凸部２７が被保持部２３´に確実に引っ掛かる。したがって、保持部２４の被保持部２３´からの離脱はより確実に防止される。
【００３８】
図１０及び図１１を参照して、コネクタ１０の他の変形例について説明する。同様な部分については同じ参照符号を付して説明を省略する。
【００３９】
図１０に示すように、下段コンタクト１３´の凹部２４ｃの互いに対向した内壁面のうち一方にのみ凸部２７を形成している。
【００４０】
これによっても、図１１に示すように下段コンタクト１３´を図３のハウジング１１に組み付け、保持部２４´に被保持部２３を保持させたとき、凸部２７が被保持部２３に引っ掛かる。したがって、保持部２４´の被保持部２３からの離脱は防止される。
【００４１】
上述では一つ又は対の凸部２７を設けたものを例にとって説明したが、凸部２７を設けることなく、保持部２４，２４´が被保持部２３，２３´を挟み込んで保持するようにしてもよい。
【００４２】
なお、本発明は上記実施形態に限られることはなく、またその一部又は全部は以下の付記のようにも記載され得るがそれらには限られない。
【００４３】
（付記１）
コンタクトとハウジングとを有するコネクタにおいて、
前記ハウジングは、前面が開放された受容部と、底面と、前記受容部と前記底面との間に形成された被保持部とを有し、
前記コンタクトは、保持部と、前記保持部の第１の端面に結合されたバネ部と、前記保持部の前記第１の端面とは反対側の第２の端面に結合された端子部とを有し、
前記保持部は、前記第１の端面と前記第２の端面との間に凹部を有し、前記凹部を前記被保持部に前記受容部側から嵌合することで、前記保持部が前記被保持部に保持され、
前記バネ部は、接触部を備え、前記第１の端面から延びて前記接触部を前記受容部に位置させており、
前記端子部は、前記第２の端面のうち前記凹部の開放面側の部分から前記受容部の前方に延びていることを特徴とするコネクタ。
【００４４】
（付記２）
前記バネ部は、前記第１の端面のうち前記凹部の底面側の部分から延びていることを特徴とする、付記１記載のコネクタ。
【００４５】
これによれば、下段コンタクトに形成される突出部を１つのみにすることができる。
【００４６】
（付記３）
前記バネ部は、前記第１の端面のうち前記開放面側の部分から延びていることを特徴とする、付記１記載のコネクタ。
【００４７】
これによれば、下段コンタクトに形成される突出部を無くすることができる。
【００４８】
（付記４）
前記保持部は、前記凹部の互いに対向した内壁面のうち少なくとも一方に内向きの凸部を有し、前記凸部が前記被保持部に引っ掛かることで前記保持部の前記被保持部からの離脱を防止される、付記１から３のいずれか一項に記載のコネクタ。
【００４９】
これによれば、保持部の被保持部からの離脱を確実に防止できる。
【００５０】
（付記５）
前記凸部は、前記凹部の開放面に隣接した位置に形成されている、付記４に記載のコネクタ。
【００５１】
これによれば、保持部による被保持部の保持がしっかりしたものとなる。
【００５２】
（付記６）
前記被保持部は、前記凸部に対応する位置にへこみを有する、付記４又は５に記載のコネクタ。
【００５３】
これによれば、保持部や被保持部に印加されるストレスを減じることができる。
【００５４】
（付記７）
前記底面から見て前記コンタクトよりも遠い位置に配置された接触部を有する上段コンタクトを更に含み、前記上段コンタクトは前記ハウジングの後側から前側に向けて前記ハウジングに挿入され保持されることを特徴とする、付記１から６のうちのいずれか一項に記載のコネクタ。
【００５５】
これによれば、第２の接続対象の互いに対向する両面に対し電気的接続を得ることができる。
【００５６】
（付記８）
前記コンタクトは、一枚の導電性金属板を打ち抜き加工して形成されたものであることを特徴とする、付記１から７のうちのいずれか一項に記載のコネクタ。
【００５７】
これによれば、コンタクトの製造が容易であり、コストを低減できる。
【符号の説明】
【００５８】
１  端子
２  ハウジング
３  基部
４，５  ビーム
６  延伸部
７  圧入部
８  接続部
９  孔
１０  コネクタ
１１  ハウジング
１１ａ  受容部
１２  上段コンタクト
１３，１３´  下段コンタクト（コンタクト）
１４  ハウジングの底面（底面）
１５  ハウジングの前面（前面）
１６  下壁部
１７  接触部
１８  ハウジングの後面
１９  端子部
２１  溝
２２  孔
２３，２３´  被保持部
２４，２４´  保持部
２４ａ  第１の端面
２５  バネ部
２４ｂ  第２の端面
２６  端子部
２４ｃ  凹部
２４ｄ  第３の端面
２４ｅ  第４の端面
２７  凸部
２８  接触部
３１  コネクタ取付基板（第１の接続対象）
３２  カード基板（第２の接続対象）
３３  逃げ孔
３４  へこみ
Ａ１  幅方向
Ａ２  上下方向
【図１】
2014130741.tif 000003
【図２Ａ】
2014130741.tif 000004
【図２Ｂ】
2014130741.tif 000005
【図２Ｃ】
2014130741.tif 000006
【図３】
2014130741.tif 000007
【図４Ａ】
2014130741.tif 000008
【図４Ｂ】
2014130741.tif 000009
【図５】
2014130741.tif 000010
【図６】
2014130741.tif 000011
【図７】
2014130741.tif 000012
【図８Ａ】
2014130741.tif 000013
【図８Ｂ】
2014130741.tif 000014
【図９Ａ】
2014130741.tif 000015
【図９Ｂ】
2014130741.tif 000016
【図１０】
2014130741.tif 000017
【図１１】
2014130741.tif 000018
【図１２】
2014130741.tif 000019